(57)【要約】【課題】複数枚のＤＶＤメディアを装着できるＤＶＤ再生装置において、バックエンドが装着されていない状態であってもチェンジャートレイ及びチェンジャーマイコンの機械的及び電気的な動作試験を行うことができそれだけ製造（開発）時間及び（又は）コストを削減できるチェンジャー付ＤＶＤ再生装置及びチェンジャートレイの制御方法を提供する。【解決手段】バックエンドが実装される前の製造及び（又は）開発段階において前記パネルキーの入力、及び前記チェンジャーマイコンの動作によって前記チェンジャートレイを操作できるチェンジャートレイの制御方法。【選択図】      図４
2004310847.tif 000002
【特許請求の範囲】
【請求項１】
所定枚数のＤＶＤメディアを搭載することが可能なチェンジャートレイと、
前記チェンジャートレイの動作を制御するためのチェンジャーマイコンと、
使用者がＤＶＤ再生装置に要求する動作に対応する信号を入力するためのパネルキーと、
前記パネルキーにて受け付けられたキー入力信号をもとに前記チェンジャーマイコンに前記チェンジャートレイを制御するトレイ制御コマンドを出力するバックエンドとを有しており、
バックエンドが実装される前の製造及び（又は）開発段階において前記パネルキーの入力、及び前記チェンジャーマイコンの動作によって前記チェンジャートレイを操作できることを特徴とするチェンジャー付ＤＶＤ再生装置。
【請求項２】
所定枚数のＤＶＤメディアを搭載することが可能なチェンジャートレイと、
前記チェンジャートレイを制御するためのチェンジャーマイコンと、
使用者が再生装置に要求する動作に対応する信号を入力するためのパネルキーと、
前記パネルキーにて受け付けられたキー入力信号をもとに前記チェンジャーマイコンに前記チェンジャートレイを制御するトレイ制御コマンドを出力するバックエンドとを有しており、
前記パネルキーからの入力を前記チェンジャーマイコンに直接入力する直接入力モードが備えられており、該直接入力モードのときは前記パネルキーの入力、及び前記チェンジャーマイコンの動作によって前記チェンジャートレイを操作できることを特徴とするチェンジャー付ＤＶＤ再生装置。
【請求項３】
所定枚数のＤＶＤメディアを搭載することが可能なチェンジャートレイと、
前記チェンジャートレイを制御するためのチェンジャーマイコンと、
使用者が再生装置に要求する動作に対応する信号を入力するためのパネルキーと、
前記パネルキーにて受け付けられたキー入力信号をもとに前記チェンジャーマイコンに前記チェンジャートレイを制御するトレイ制御コマンドを出力するバックエンドとを有する複数枚のＤＶＤメディアを切り替えて再生することが可能であるＤＶＤ再生装置において、
前記ＤＶＤ再生装置にバックエンドが実装される前の製造及び（又は）開発段階において、前記パネルキー入力、及び前記チェンジャーマイコンの動作によって前記チェンジャートレイを操作できることを特徴とするチェンジャートレイの制御方法。
【請求項４】
所定枚数のＤＶＤメディアを搭載することが可能なチェンジャートレイと、
前記チェンジャートレイを制御するためのチェンジャーマイコンと、
使用者が再生装置に要求する動作に対応する信号を入力するためのパネルキーと、
前記パネルキーにて受け付けられたキー入力信号をもとにチェンジャーマイコンにチェンジャートレイを制御するトレイ制御コマンドを出力するバックエンドとを有する複数枚のＤＶＤメディアを切り替えて再生することが可能であるＤＶＤ再生装置において、
前記パネルキーからの入力信号を前記チェンジャーマイコンに直接入力する直接入力モードを有しており、該直接入力モードのときは前記パネルキーの入力、及び前記チェンジャーマイコンの動作によって前記チェンジャートレイを操作できることを特徴とするチェンジャートレイの制御方法。
【請求項５】
請求項３又は４にかかるＤＶＤ再生装置が記録媒体再生装置であることを特徴とするチェンジャートレイの制御方法。
【発明の詳細な説明】
【０００１】
【発明の属する技術分野】
本発明は、チェンジャーマイコンのみでトレイの制御を行うことができるチェンジャー付ＤＶＤ再生装置及びチェンジャートレイの制御方法に関するものである。
【０００２】
【従来の技術】
従来のチェンジャー付ＤＶＤ再生装置の概略ブロック図を図５に示す。また、図６に図５に示すチェンジャー付ＤＶＤ再生装置のチェンジャー装置のチェンジャートレイの操作（トレイの開閉、トレイの回転等）を行う操作手順を示す。
チェンジャー付ＤＶＤ再生装置Ｂは再生を行うＤＶＤメディアＤｉｓｋを回転するスピンドルモータ９１と、ＤＶＤメディアＤｉｓｋに記録されたデータを読み取るためのデータ読み取り手段９２と、ＤＶＤ再生装置Ｂのフロントパネルに設置され使用者の要求を入力するためのパネルキー９３と、複数枚のＤＶＤメディアを切り替えるためのチェンジャー装置９４と、これら各部の動作を制御するための制御装置ＣＯＮＴ’とを有している。
【０００３】
データ読み取り手段９２は、ＤＶＤメディアＤｉｓｋにレーザを照射してデータを読み取るピックアップ９２１と、ピックアップ９２１のトラッキング及びフォーカシングを調整するサーボモータ９２２とを有している。
【０００４】
制御装置ＣＯＮＴ’は、データ読み取り手段２及びスピンドルモータ９１の動作を制御するフロントエンドＦＥ’と、フロントエンドＦＥ’に指示を出したり、パネルキー９３、チェンジャー装置９４等を制御したりするバックエンドＢＥ’とを備えている。
【０００５】
また、ＤＶＤ再生装置Ｂの再生動作はピックアップ９１にて読み取られたデータはフロントエンドＦＥ’に送られた後に、バックエンドＢＥ’に送られ、バックエンドＢＥ’に接続されたデコーダ９５にて複合される。デコーダ９５で複合されたデータはＤ／Ａコンバータ９６にてデジタル信号からアナログ信号に変換されて、音声データは音響装置９７に、映像データは表示装置９８に送られることでＤＶＤメディアは再生される。
【０００６】
また、使用者がＤＶＤ再生装置Ｂより離れた位置より指示を出すためのリモートコントローラＲｍ’より出される信号を受信するための、リモートコントローラ受信部Ｒｒ’もバックエンドＢＥ’に接続されている。
【０００７】
チェンジャー装置の動作は、まず、バックエンドＢＥ’がパネルキー９３のキー入力状態（どのキーが押された等の状態）を要求する（ステップＳ２１）。パネルキー９３が現在のキー入力状態を取得し（ステップＳ２２）、パネルキー９３のキー入力状態が直前の状態と変化したかどうか判断する（ステップＳ２３）。パネルキー９３のキー入力状態が直前の状態と変化していない場合（ステップＳ２３でＮＯの場合）ステップＳ２１に戻りパネルキー９３のキー入力状態の要求を繰り返す。パネルキー９３のキー入力状態が直前の状態に比べ変化した（使用者からの何らかのキー入力がパネルキー９３に対なされた）場合（ステップＳ２３でＹＥＳの場合）、現在のパネルキー９３のキー入力状態を表す信号をバックエンドＢＥ’に送信する（ステップＳ２４）。バックエンドＢＥ’が現在のパネルキー９３のキー入力状態を表す信号を受信（ステップＳ２５）した後、バックエンドＢＥ’はチェンジャートレイ９４１の動作を決めるトレイ制御コマンドを生成する（ステップＳ２６）。そして、トレイ制御コマンドをチェンジャーマイコン９４２に送信する（ステップＳ２７）。トレイ制御コマンドをチェンジャーマイコン９４２が受信した（ステップＳ２８）後、チェンジャーマイコン９４２はトレイ制御コマンドに基づいてチェンジャートレイ９４１に動作信号を送信する（ステップＳ２９）。チェンジャートレイ９４１は動作信号を受信し（ステップＳ２１０）、動作信号をもとに動作を行う（ステップＳ２１１）。以上が使用者によって要求する動作に対応するパネルキー９３のキーを押された後、チェンジャートレイ９４１が動くまでの手順である。
【特許文献１】
特開平７−２２５９５７号公報
【０００８】
【発明が解決しようとする課題】
ＤＶＤ再生装置の製造及び（又は）開発段階において、チェンジャートレイ９４１を動かすための歯車等の不具合を検出したり、チェンジャートレイ９４１が動作しにくいものを探したり、チェンジャーマイコン９４２の動作に不具合があるものを発見するために、チェンジャートレイ９４１及びチェンジャーマイコン９４２の機械的及び電気的な動作試験を行う必要がある。
【０００９】
しかしながら、上述のような構成の場合、チェンジャー付ＤＶＤ再生装置の開発段階及び（又は）工場での組み付け段階において、チェンジャートレイ９４１及びチェンジャーマイコン９４２の機械的及び電気的な動作試験を行うには、バックエンドＢＥ’の完成を待ち、バックエンドＢＥ’がＤＶＤ再生装置に組み込まれた状態で、又は、ＤＶＤ再生装置が完成してからようやく動作試験を行うことがでるものである。バックエンドＢＥ’の製作よりもチェンジャートレイ９４１及びチェンジャーマイコン９４２が早くに完成している場合、チェンジャートレイ９４１及びチェンジャーマイコン９４２の機械的及び電気的な動作試験はバックエンドＢＥ’の完成を待たなくてはならずそれだけＤＶＤ再生装置の製作時間及びコストのロスとなってしまう。
【００１０】
また、バックエンドＢＥ’を実装してチェンジャートレイ９４１及びチェンジャーマイコン９４２の機械的及び電気的な動作試験を行った場合、動作試験の結果不具合が発生しない場合は問題ないが、不具合が発生した場合、その原因がチェンジャートレイ９４１の機械的な部分なものか、電気的な部分なものか、チェンジャーマイコン９４２によるものか、バックエンドＢＥ’によるものか判別するためにさらに多くの時間とコストを要する。
【００１１】
そこで本発明は、複数枚のＤＶＤメディアを装着できるＤＶＤ再生装置において、バックエンドが装着されていない状態であってもチェンジャートレイ及びチェンジャーマイコンの機械的及び電気的な動作試験を行うことができるチェンジャー付ＤＶＤ再生装置及びチェンジャートレイの制御方法を提供することを目的とする。
【００１２】
また、バックエンドの製作とチェンジャートレイ及びチェンジャーマイコンの機械的及び電気的な動作試験を同時進行で行うことができ、ＤＶＤ再生装置全体として開発及び製造工程を短縮することができるチェンジャー付ＤＶＤ再生装置及びチェンジャートレイの制御方法を提供することを目的とする。
【００１３】
【課題を解決するための手段】
上記目的を達成するために請求項１の発明は、所定枚数のＤＶＤメディアを搭載することが可能なチェンジャートレイと、前記チェンジャートレイの動作を制御するためのチェンジャーマイコンと、使用者がＤＶＤ再生装置に要求する動作に対応する信号を入力するためのパネルキーと、前記パネルキーにて受け付けられたキー入力信号をもとに前記チェンジャーマイコンに前記チェンジャートレイを制御するトレイ制御コマンドを出力するバックエンドとを有しており、バックエンドが実装される前の製造及び（又は）開発段階において前記パネルキーの入力、及び前記チェンジャーマイコンの動作によって前記チェンジャートレイを操作できることを特徴とするチェンジャー付ＤＶＤ再生装置を提供する。
【００１４】
この構成によると、バックエンドが実装されていない製造及び（又は）開発段階においてチェンジャートレイ及びチェンジャーマイコンの機械的及び電気的動作試験を行うことができ、それだけ製造及び（又は）開発工程の時間及びコストを削減することができる。
【００１５】
また、上記目的を達成するために請求項２の発明は、所定枚数のＤＶＤメディアを搭載することが可能なチェンジャートレイと、前記チェンジャートレイを制御するためのチェンジャーマイコンと、使用者が再生装置に要求する動作に対応する信号を入力するためのパネルキーと、前記パネルキーにて受け付けられたキー入力信号をもとに前記チェンジャーマイコンに前記チェンジャートレイを制御するトレイ制御コマンドを出力するバックエンドとを有しており、前記パネルキーからの入力を前記チェンジャーマイコンに直接入力する直接入力モードが備えられており、該直接入力モードのときは前記パネルキーの入力、及び前記チェンジャーマイコンの動作によって前記チェンジャートレイを操作できることを特徴とするチェンジャー付ＤＶＤ再生装置を提供する。
【００１６】
この構成によると、すでに製造されているチェンジャー付ＤＶＤ再生装置において、バックエンド又はバックエンドを含む制御装置の不具合でＤＶＤ再生装置が動作しなくなったときに、原因を突き止めやすく、また、チェンジャートレイに取り残されているＤＶＤメディアを取り出すことが可能である。
【００１７】
前記直接入力モードへの切り替えは、特殊な情報信号を記録したＤＶＤを読み込むと切り替わるもの、前記パネルキーを押す組み合わせによって切り替わるもの等容易に切り替えることが可能であるものを採用することができる。
【００１８】
また上記目的を達成するため請求項３の発明は、所定枚数のＤＶＤメディアを搭載することが可能なチェンジャートレイと、前記チェンジャートレイを制御するためのチェンジャーマイコンと、使用者が再生装置に要求する動作に対応する信号を入力するためのパネルキーと、前記パネルキーにて受け付けられたキー入力信号をもとに前記チェンジャーマイコンに前記チェンジャートレイを制御するトレイ制御コマンドを出力するバックエンドとを有する複数枚のＤＶＤメディアを切り替えて再生することが可能であるＤＶＤ再生装置において、前記ＤＶＤ再生装置にバックエンドが実装される前の製造及び（又は）開発段階において、前記パネルキー入力、及び前記チェンジャーマイコンの動作によって前記チェンジャートレイを操作できることを特徴とするチェンジャートレイの制御方法を提供する。
【００１９】
この構成によると、前記チェンジャートレイ及び前記チェンジャーマイコンの製造工程で該チェンジャートレイ及び該チェンジャーマイコンの機械的及び電気的動作試験を行うことができ、より早い段階で前記チェンジャートレイ及びチェンジャーマイコンをＤＶＤ再生装置に実装したのと同じ状態で前記動作試験を行うことができる。これによって、不具合の発生している前記チェンジャートレイ及び（又は）チェンジャーマイコンをＤＶＤ再生装置に組み込むことによる時間及びコストの無駄を省くことができる。
【００２０】
また上記目的を達成するため請求項４の発明は、所定枚数のＤＶＤメディアを搭載することが可能なチェンジャートレイと、前記チェンジャートレイを制御するためのチェンジャーマイコンと、使用者が再生装置に要求する動作に対応する信号を入力するためのパネルキーと、前記パネルキーにて受け付けられたキー入力信号をもとにチェンジャーマイコンにチェンジャートレイを制御するトレイ制御コマンドを出力するバックエンドとを有する複数枚のＤＶＤメディアを切り替えて再生することが可能であるＤＶＤ再生装置において、前記パネルキーからの入力信号を前記チェンジャーマイコンに直接入力する直接入力モードを有しており、該直接入力モードのときは前記パネルキーの入力、及び前記チェンジャーマイコンの動作によって前記チェンジャートレイを操作できることを特徴とするチェンジャートレイの制御方法を提供する。
【００２１】
この構成によると、すでに製造されているチェンジャー付ＤＶＤ再生装置において、バックエンド又はバックエンドを含む制御装置の不具合でＤＶＤ再生装置が動作しなくなったときに、原因を突き止めやすく、また、チェンジャートレイに取り残されているＤＶＤメディアを取り出すことが可能である。
【００２２】
前記直接入力モードへの切り替えは、特殊な情報信号を記録したＤＶＤを読み込むと切り替わるもの、前記パネルキーを押す組み合わせによって切り替わるもの等容易に切り替えることが可能であるものを採用することができる。
【００２３】
上記構成のチェンジャートレイの制御方法において、該制御方法の適用対象としてＤＶＤメディアを切り替えて再生することが可能であるＤＶＤ再生装置を挙げているが、ＣＤ再生装置等のようなトレイに並べることができるディスク状の記録媒体の再生装置に対して広く適用することが可能である。
【００２４】
【発明の実施の形態】
以下に本発明の実施形態を図面を参照して説明する。図１は本発明に係るチェンジャートレイの制御方法を有するチェンジャー付ＤＶＤ再生装置の概略ブロック図である。
【００２５】
図１に示すチェンジャー付ＤＶＤ再生装置Ａは再生を行うＤＶＤメディアＤｉｓｋを回転するスピンドルモータ１と、ＤＶＤメディアＤｉｓｋに記録されたデータを読み取るためのデータ読み取り手段２と、ＤＶＤ再生装置Ａのフロントパネルに設置され使用者の要求を入力するためのパネルキー３と、複数枚のＤＶＤメディアを切り替えるためのチェンジャー装置４と、これら各部の動作を制御するための制御装置ＣＯＮＴとを有している。図１において破線は制御信号が流れる回路を、矢線はＤＶＤメディアｄｉｓｋから読み取られたデータの流れを示す。
【００２６】
データ読み取り手段２は、ＤＶＤメディアＤｉｓｋにレーザを照射してデータを読み取るピックアップ２１と、ピックアップ２１のトラッキング及びフォーカシングを調整するサーボモータ２２とを有している。
【００２７】
パネルキー３とチェンジャー装置４の内部に配置されているチェンジャーマイコン４２とは回路３１にて直接接続されており、バックエンドＢＥに不具合を生じたときや、後述のバックエンドＢＥが実装されていないときにパネルキー３からのキー入力信号を直接チェンジャーマイコン４２に送信することができる。また、バックエンドＢＥが実装されており、不具合が無い場合は、チェンジャー装置４は従来のＤＶＤ再生装置と同じ手順でバックエンドＢＥにて制御されている。
【００２８】
また、図２にチェンジャー装置にＤＶＤメディアを載せた概略図を示す。チェンジャー装置４は、実際にＤＶＤメディアを装着できるチェンジャートレイ４１と、チェンジャートレイ４１に動作信号を送信するチェンジャーマイコン４２とを備えている。チェンジャートレイ４１は、図２に示しているとおり、それに限定されるものではないがここでは、５枚のＤＶＤメディアＤｉｓｋ１〜Ｄｉｓｋ５を平面上に等中心角度間隔で配置することが可能であるターンテーブル４１１と、ターンテーブル４１１を回転可能に支持するメインテーブル４１２とを有している。ターンテーブル４１１には、図面内上部にＤＶＤメディアに記録されたデータを読み取るためのデータ読み取り領域４１３を有している。チェンジャートレイ４１はターンテーブル４１１を回転することで所望のＤＶＤメディア（例えばＤｉｓｋ３）をデータ読み取り領域４１３に配置することが可能である。読み取り領域４１３には、ターンテーブル４１１の下方にデータ読み取り手段２が備えられている。
【００２９】
制御装置ＣＯＮＴは、データ読み取り手段２及びスピンドルモータ１の動作を制御するフロントエンドＦＥと、フロントエンドＦＥに指示を出したり、パネルキー３、チェンジャー装置４等を制御したりするバックエンドＢＥとを備えている。
【００３０】
また、ＤＶＤ再生装置Ａの再生動作はピックアップ１にて読み取られたデータはフロントエンドＦＥに送られた後に、バックエンドＢＥに送られ、バックエンドＢＥに接続されたデコーダ５にて複合される。デコーダ５で複合されたデータはＤ／Ａコンバータ６にてデジタル信号からアナログ信号に変換されて、音声データは音響装置７に、映像データは表示装置８に送られることでＤＶＤメディアは再生される。
【００３１】
また、使用者がＤＶＤ再生装置Ａより離れた位置より指示を出すためのリモートコントローラＲｍより出される信号を受信するための、リモートコントローラ受信部ＲｒもバックエンドＢＥに接続されている。
【００３２】
図３にチェンジャー付ＤＶＤ再生装置の製造（開発）段階での概略配置のブロック図を示す。図３に示すチェンジャー付ＤＶＤ再生装置Ａは、制御装置ＣＯＮＴが製造（開発）段階であってまだ実装されていない状態である。すなわち、スピンドルモータ１、データ読み取り手段２、パネルキー３、チェンジャー装置４、デコーダ５、Ｄ／Ａコンバータ６は実装済みである。
【００３３】
図３に示すＤＶＤ再生装置Ａ’では、パネルキー３とチェンジャーマイコン４２は回路３１にて直接接続されており、パネルキー３からの入力信号をチェンジャーマイコン４２が受け付けることができるようになっている。バックエンドＢＥが存在する場合は、パネルキー３からの入力信号はバックエンドＢＥが受け付け、その後、トレイ制御コマンドを生成しチェンジャーマイコン４２に送り、チェンジャーマイコン４２がトレイ制御コマンドをもとに動作信号をチェンジャートレイ４１に送ることでチェンジャートレイ４１は動作する。ＤＶＤ再生装置Ａ’において、バックエンドＢＥが存在しないので、チェンジャーマイコン４２がパネルキー３からの入力信号を直接受け付け、チェンジャーマイコン４２自体が、チェンジャートレイ４１を動作させるためのトレイ制御コマンドを生成し、そのトレイ制御コマンドをもとにチェンジャートレイ４１に動作信号（例えば、トレイオープンやトレイ回転等）を送信する。
【００３４】
本発明に係るチェンジャートレイの制御方法を有するチェンジャー付ＤＶＤ再生装置のチェンジャーの動作をフロー図をもとに説明する。図５に本発明に係るチェンジャートレイの制御方法のフロー図を示す。
【００３５】
まず、パネルキー３へのキー入力を確認する（ステップＳ１１）。パネルキー３は前記キー入力もとに入力信号を生成する（ステップＳ１２）。ステップＳ１２で生成された入力信号をチェンジャーマイコン４２に送信する（ステップＳ１３）。チェンジャーマイコン４２が入力信号を受信する（ステップＳ１４）とチェンジャーマイコン４２はトレイ制御コマンドを生成する（ステップＳ１５）。チェンジャーマイコン４２は前記生成されたトレイ制御コマンドがチェンジャーマイコン４２に入力されたとみなして、該トレイ制御コマンドをもとに動作信号をチェンジャートレイ４１に送る（ステップＳ１６）。チェンジャートレイ４１が動作信号を受信（ステップＳ１７）し、チェンジャートレイ４１の制御を実行する（ステップＳ１８）。これによってチェンジャートレイ４１に配置された複数枚のＤＶＤメディアのうち使用者が所望するＤＶＤメディアをデータ読み取り領域に配置することが可能である。バックエンドＢＥが実装されていない状態を例に挙げて説明したが、バックエンドＢＥが実装されていて不具合を生じている場合も同様の操作でチェンジャートレイの制御を行うことができる。
【００３６】
図３に示すＤＶＤ再生装置Ａ’において、バックエンドＢＥ又はバックエンドＢＥを有する制御装置ＣＯＮＴを実装した時点で、パネルキー３とチェンジャーマイコン４２をつなぐ回路は取り除いてもよく、残しておいてもよい。残しておく場合、ＤＶＤ再生装置が完成して使用中にバックエンドＢＥに不具合が出たとき等、不慮の事故のときにも配線を元に戻す直接入力モードを設けておけばチェンジャートレイ４１に残っているＤＶＤメディアＤｉｓｋ１〜Ｄｉｓｋ５を取り出すことが可能である。
【００３７】
また、上記実施例において本発明に係るチェンジャートレイの制御方法を適用する対象としてＤＶＤ再生装置を挙げているがそれに限定されるものではなく、ＣＤ再生装置等ディスク状の記録媒体で平面上に並べることができる記録媒体の再生装置のチェンジャートレイに広く採用することができる。
【００３８】
【発明の効果】
請求項１の発明によると、バックエンドが実装されていない製造及び（又は）開発段階においてチェンジャートレイ及びチェンジャーマイコンの機械的及び電気的動作試験を行うことができ、それだけ製造及び（又は）開発工程の時間及びコストを削減することができる。
【００３９】
また請求項２の発明によると、すでに製造されているチェンジャー付ＤＶＤ再生装置において、バックエンド又はバックエンドを含む制御装置の不具合でＤＶＤ再生装置が動作しなくなったときに、原因を突き止めやすく、また、チェンジャートレイに取り残されているＤＶＤメディアを取り出すことが可能である。
【００４０】
また請求項３の発明によると、前記チェンジャートレイ及び前記チェンジャーマイコンの製造工程で該チェンジャートレイ及び該チェンジャーマイコンの機械的及び電気的動作試験を行うことができ、より早い段階で前記チェンジャートレイ及びチェンジャーマイコンをＤＶＤ再生装置に実装したのと同じ状態で前記動作試験を行うことができる。これによって、不具合の発生している前記チェンジャートレイ及び（又は）チェンジャーマイコンをＤＶＤ再生装置に組み込むことによる時間及びコストの無駄を省くことができる。
【００４１】
また請求項４の発明によると、すでに製造されているチェンジャー付ＤＶＤ再生装置において、バックエンド又はバックエンドを含む制御装置の不具合でＤＶＤ再生装置が動作しなくなったときに、原因を突き止めやすく、また、チェンジャートレイに取り残されているＤＶＤメディアを取り出すことが可能である。
【００４２】
請求項５の発明によると、チェンジャー付ＤＶＤ再生装置以外の記録媒体再生装置に対してもチェンジャートレイの制御方法を適用することができる。
【図面の簡単な説明】
【図１】本発明に係るチェンジャー付ＤＶＤ再生装置の概略ブロック図である。
【図２】図１に示すチェンジャー付ＤＶＤ再生装置のチェンジャー装置の概略図である。
【図３】図１に示すチェンジャー付ＤＶＤ再生装置において制御装置が実装されていないときのブロック図である。
【図４】本発明に係るチェンジャートレイ制御方法の手順を示すフロー図である。
【図５】従来のチェンジャー付ＤＶＤ再生装置の概略ブロック図である。
【図６】従来のチェンジャートレイの制御方法のフロー図である。
【符号の説明】
１  スピンドルモータ
２  データ読み取り手段
２１  ピックアップ
２２  サーボモータ
３  パネルキー
４  チェンジャー装置
４１  チェンジャートレイ
４２  チェンジャーマイコン
５  デコーダ
６  Ｄ／Ａコンバータ
７  表示装置
８  音響装置
【図１】
2004310847.tif 000003
【図２】
2004310847.tif 000004
【図３】
2004310847.tif 000005
【図４】
2004310847.tif 000006
【図５】
2004310847.tif 000007
【図６】
2004310847.tif 000008